(57)【要約】パケット交換基盤のネットワークにおける無線アクセスネットワーク（ＲＡＮ）間Ｌ２ハンドオーバ及びコアネットワーク（ＣＮ）間Ｌ３ハンドオーバを遂行する方法及び装置を提供する。旧ＲＡＮを介して旧ＣＮに接続されたＵＥが新ＣＮに属している新ＲＡＮへ移動する際に、旧ＲＡＮは、ハンドオーバ要請メッセージを新ＲＡＮへ送信する。新ＲＡＮは、ＵＥのための新ＩＰアドレスを新ＣＮから取得し、新ＩＰアドレスを含むハンドオーバ命令メッセージを旧ＲＡＮへ送信する。旧ＲＡＮは、ハンドオーバ命令メッセージを伝達する。ＵＥは、ハンドオーバ命令メッセージに応じて、ＲＡＮ間ハンドオーバを遂行し、新ＲＡＮを介して旧ＣＮと通信した後に、新ＩＰアドレスに基づいて、ＣＮ間ハンドオーバを遂行し、新ＲＡＮを介して新ＣＮと通信する。
2009500980.tif 000002
【特許請求の範囲】
【請求項１】
端末（ＵＥ）にアクセス可能な複数の無線アクセスネットワーク（ＲＡＮｓ）と複数の無線アクセスネットワークをインターネットプロトコル（ＩＰ）を介して外部ネットワークに接続するための複数のコアネットワーク（ＣＮｓ）とを有するパケット交換基盤のネットワークにおける複数のコアネットワーク間ハンドオーバ方法であって、
旧ＲＡＮを介して旧ＣＮに接続されたＵＥが新ＣＮに属している新ＲＡＮへ移動する際に、前記旧ＲＡＮがハンドオーバ要請メッセージを前記新ＲＡＮへ送信するステップと、
前記新ＲＡＮが、前記ハンドオーバ要請メッセージに応じて、前記ＵＥのための新ＩＰアドレスを前記新ＣＮから取得するステップと、
前記新ＲＡＮが、前記新ＩＰアドレスを含むハンドオーバ命令メッセージを前記旧ＲＡＮへ送信するステップと、
前記旧ＲＡＮが、前記ハンドオーバ命令メッセージに前記新ＲＡＮのアドレスを挿入し、前記新ＲＡＮのアドレスを有する前記ハンドオーバ命令メッセージを前記ＵＥへ転送するステップと、
前記ＵＥが、前記ハンドオーバ命令メッセージに応じて、ＲＡＮ間ハンドオーバを遂行し、前記新ＲＡＮを介して前記旧ＣＮと通信するステップと、
前記ＵＥが、前記ハンドオーバ命令メッセージに含まれている前記新ＩＰアドレスに基づいて、ＣＮ間ハンドオーバを遂行し、前記新ＲＡＮを介して前記新ＣＮと通信するステップと、
を含むことを特徴とする方法。
【請求項２】
前記新ＲＡＮが、前記ハンドオーバ命令メッセージを前記ＵＥへ送信した後に、前記旧ＣＮとトンネルを確立し、ハンドオーバ完了メッセージを前記旧ＲＡＮへ送信するステップと、
前記旧ＲＡＮが、前記ハンドオーバ完了メッセージに応じて、前記ＵＥに関連したコンテキストを削除するステップと、
をさらに含むことを特徴とする請求項１に記載のハンドオーバ方法。
【請求項３】
前記新ＲＡＮが、前記新ＩＰアドレスを取得した後に、前記新ＣＮと前記ＵＥに関連したデータを伝達するためのトンネルを確立するステップをさらに含むことを特徴とする請求項１に記載のハンドオーバ方法。
【請求項４】
前記ＵＥが、前記ハンドオーバ命令メッセージを受信した後に、前記新ＩＰアドレスを前記ＵＥに関連したホームエージェント（ＨＡ）に登録するステップをさらに含むことを特徴とする請求項１に記載のハンドオーバ方法。
【請求項５】
前記ＵＥが、前記新ＩＰアドレスを登録した後に、ハンドオーバ完了メッセージを前記旧ＣＮへ送信するステップと、
前記旧ＣＮが、前記ハンドオーバ完了メッセージに応じて、前記ＵＥに関連したコンテキストを削除するステップと、をさらに含むことを特徴とする請求項４に記載のハンドオーバ方法。
【請求項６】
パケット交換基盤のネットワークにおける複数のコアネットワーク間ハンドオーバを遂行する装置であって、
旧コアネットワーク（ＣＮ）に属し、端末（ＵＥ）からハンドオーバを要請する測定報告メッセージを受信し、前記測定報告メッセージに従ってハンドオーバ要請メッセージを生成し、前記ＵＥのための新インターネットプロトコル（ＩＰ）アドレスを含むハンドオーバ命令メッセージを受信し、前記新ＩＰアドレスを前記ＵＥへ送信する旧無線アクセスネットワーク（ＲＡＮ）と、
新コアネットワーク（ＣＮ）に属し、前記ハンドオーバ要請メッセージに応じて、前記ＵＥのための新ＩＰアドレスを取得し、前記新ＩＰアドレスを有する前記ハンドオーバ命令メッセージを前記旧ＲＡＮへ送信する新ＲＡＮと、を含み、
前記ＵＥは、前記ハンドオーバ命令メッセージに応じて、ＲＡＮ間ハンドオーバを遂行することにより、前記新ＲＡＮを介して前記旧ＣＮと通信し、前記ハンドオーバ命令メッセージに含まれた前記新ＩＰアドレスに基づいて、ＣＮ間ハンドオーバを遂行することにより、前記新ＲＡＮを介して前記新ＣＮと通信することを特徴とするハンドオーバ装置。
【請求項７】
前記新ＲＡＮは、前記ハンドオーバ命令メッセージを前記ＵＥへ送信した後に、前記旧ＣＮとトンネルを確立し、ハンドオーバ完了メッセージを前記旧ＲＡＮへ送信し、前記旧ＲＡＮは、前記ハンドオーバ完了メッセージに応じて、前記ＵＥに関連したコンテキストを削除することを特徴とする請求項６に記載のハンドオーバ装置。
【請求項８】
前記新ＲＡＮは、前記新ＩＰアドレスを取得した後に、前記新ＣＮと前記ＵＥに関連したデータを伝達するためのトンネルを確立することを特徴とする請求項６に記載のハンドオーバ装置。
【請求項９】
前記ＵＥは、前記ハンドオーバ命令メッセージを受信した後に、前記新ＩＰアドレスを前記ＵＥに関連したホームエージェント（ＨＡ）に登録することを特徴とする請求項６に記載のハンドオーバ装置。
【請求項１０】
前記ＵＥは、前記新ＩＰアドレスを登録した後に、ハンドオーバ完了メッセージを前記旧ＣＮへ送信し、前記旧ＣＮは、前記ハンドオーバ完了メッセージに応じて、前記ＵＥに関連したコンテキストを削除することを特徴とする請求項９に記載のハンドオーバ装置。
【請求項１１】
パケット交換基盤のネットワークにおける複数のコアネットワーク間ハンドオーバ方法であって、
旧コアネットワーク（ＣＮ）に属している旧無線アクセスネットワーク（ＲＡＮ）が、端末（ＵＥ）からハンドオーバを要請する測定報告メッセージを受信するステップと、
前記測定報告メッセージに従って、ハンドオーバ要請メッセージを生成するステップと、
前記ＵＥのための新インターネットプロトコル（ＩＰ）アドレスを含むハンドオーバ命令メッセージを受信するステップと、
前記新ＩＰアドレスを前記ＵＥへ送信するステップと、
前記旧ＲＡＮを介して前記旧ＣＮに接続されている前記ＵＥが新ＣＮに属している新ＲＡＮへ移動する際に、前記旧ＲＡＮからハンドオーバ要請メッセージを前記新ＲＡＮへ送信するステップと、
前記新ＲＡＮが、前記ハンドオーバ要請メッセージに応じて、前記新ＣＮから前記ＵＥのための新ＩＰアドレスを取得するステップと、
前記新ＲＡＮから前記新ＩＰアドレスを含むハンドオーバ命令メッセージを前記旧ＲＡＮへ送信するステップと、
前記旧ＲＡＮが、前記ハンドオーバ命令メッセージに前記新ＲＡＮのアドレスを挿入し、前記新ＲＡＮのアドレスを有する前記ハンドオーバ命令メッセージを前記ＵＥへ伝達するステップと、
前記ＵＥが、前記ハンドオーバ命令メッセージに応じて、ＲＡＮ間ハンドオーバを遂行し、前記新ＲＡＮを介して前記旧ＣＮと通信するステップと、
前記ＵＥが、前記ハンドオーバ命令メッセージに含まれている前記新ＩＰアドレスに基づいて、ＣＮ間ハンドオーバを遂行し、前記新ＲＡＮを介して前記新ＣＮと通信するステップと、
を含むことを特徴とするハンドオーバ方法。
【請求項１２】
前記新ＲＡＮが、前記ハンドオーバ命令メッセージを前記ＵＥへ送信した後に、前記旧ＣＮとトンネルを確立し、ハンドオーバ完了メッセージを前記旧ＲＡＮへ送信するステップと、
前記旧ＲＡＮが、前記ハンドオーバ完了メッセージに応じて、前記ＵＥに関連したコンテキストを削除するステップと、
をさらに含むことを特徴とする請求項１１に記載のハンドオーバ方法。
【請求項１３】
前記新ＲＡＮが、前記新ＩＰアドレスを取得した後に、前記新ＣＮと前記ＵＥに関連したデータを伝達するためのトンネルを確立するステップをさらに含むことを特徴とする請求項１１に記載のハンドオーバ方法。
【請求項１４】
前記ＵＥが、前記ハンドオーバ命令メッセージを受信した後に、前記新ＩＰアドレスを前記ＵＥに関連したホームエージェント（ＨＡ）に登録するステップをさらに含むことを特徴とする請求項１１に記載のハンドオーバ方法。
【請求項１５】
前記ＵＥが、前記新ＩＰアドレスを登録した後に、ハンドオーバ完了メッセージを前記旧ＣＮへ送信するステップと、
前記旧ＣＮが、前記ハンドオーバ完了メッセージに応じて、前記ＵＥに関連したコンテキストを削除するステップと、をさらに含むことを特徴とする請求項１４に記載のハンドオーバ方法。
【発明の詳細な説明】
【技術分野】
【０００１】
本発明は、パケット交換基盤のネットワークに関し、特に、コアネットワーク（Core Network；以下、“ＣＮ”と称する。）個体（entity）間のハンドオーバのために、無線アクセスネットワーク（ＲＡＮｓ）間の階層２（Layer 2：以下、“Ｌ２”と称する。）ハンドオーバ及び階層３（Layer 3：以下、“Ｌ３”と称する。）ハンドオーバを同時に遂行する方法及び装置に関する。
【背景技術】
【０００２】
ヨーロッパ型移動通信用グローバルシステム（Global System for Mobile Communications；ＧＳＭ）及び汎用パケット無線サービス（General Packet Radio Services；ＧＰＲＳ）に基づき、広帯域符号分割多元接続（Wideband Code Division Multiple Access；以下、“ＷＣＤＭＡ”と称する。）を使用する非同期方式の第３世代（３Ｇ）移動通信システムであるユニバーサル移動通信サービス（Universal Mobile Telecommunication Service；ＵＭＴＳ）システムは、携帯電話ユーザーまたはコンピュータユーザーが世界中のどこにいるかに関係なく、パケットに基づくテキスト、デジタル化された音声又はビデオ、及びマルチメディアデータを２Ｍｂｐｓ以上の高速で携帯電話ユーザーまたはコンピュータユーザーへ送信することができる一貫したサービスを提供する。仮想接続の概念の導入により、ＵＭＴＳは、ネットワーク内の他のどの終端でも常に接続することができる。かかる仮想接続は、インターネットプロトコル（Internet Protocol；以下、“ＩＰ”と称する。）のようなパケットプロトコルを使用する“パケット交換方式の接続”を意味する。
【０００３】
多数のネットワーク個体が非同期転送モード（Asynchronous Transfer Mode；ＡＴＭ）で接続され、ゲートウェイノード（すなわち、ＧＧＳＮ（Gateway GPRS Support Node））を介して外部のパケットデータネットワークに接続されるＵＭＴＳシステムとは異なり、機能強化された（Enhanced）-ＵＭＴＳ（Ｅ-ＵＭＴＳ）システムは、ネットワーク個体間のＩＰ基盤接続を提供することにより、端末（User Equipment；以下、ＵＥと称する。）がパケットデータネットワークに接続するために経由する中間ノードの数を減少させ、従って、高速のデータ送信を可能にする。
【０００４】
典型的なＵＭＴＳシステムは、複数の無線アクセスネットワーク（Radio Access Network；以下、“ＲＡＮ”と称する。）とＣＮとから構成される。ＲＡＮは、階層１（Ｌ１）及びＬ２プロトコルを担当し、ＵＥに無線で接続される。ＣＮは、Ｌ３プロトコルを担当し、ＲＡＮを外部ネットワークに接続する。上記ＵＭＴＳシステムは、サービング無線ネットワークシステム（Serving Radio Network System；以下、“ＳＲＮＳ”と称する。）の再割当てを介したＬ２ハンドオーバと、サービングＧＰＲＳ支援ノード間（inter-Serving GPRS Support Node；以下、“ＳＧＳＮ”と称する。）ハンドオーバを介したＬ３ハンドオーバと、を提供する。
【０００５】
典型的なＬ２及びＬ３ハンドオーバ方式は、ＣＮ個体間を移動するＵＥがＩＰアドレスにより識別されないため、ＩＰアドレスの移動性を支援しない。また、インターネット・エンジニアリング・タスク・フォース（Internet Engineering Task Force；以下、“ＩＥＴＦ”と称する。）により提案されたＩＰアドレスバージョン６（IP address version 6；ＩＰｖ６）技術は、イーサネット（登録商標）に基づくＬ３ネットワーク制御プロトコルによりＩＰアドレスを割り当てて構成する。したがって、ＵＥとネットワークとの間の専用経路のみを介して制御情報を受信するＥ-ＵＭＴＳネットワークにおいては、ブロードキャスト（Broadcast）方式のイーサネット（登録商標）に基づくＩＰ制御プロトコルの円滑な動作を保証することができない。また、Ｌ３ハンドオーバによる遅延及びパケット損失が大きいという問題点があった。
したがって、パケット接続基盤のネットワークにおけるコアネットワーク個体間で向上したハンドオーバを遂行する方法が必要とされた。
【発明の開示】
【発明が解決しようとする課題】
【０００６】
上記背景に鑑みて、本発明の目的は、３Ｇ移動通信システムから開発されたパケット交換基盤のネットワークにおけるコアネットワーク個体間の高速かつシームレスなハンドオーバを遂行する方法及び装置を提供することにある。
【課題を解決するための手段】
【０００７】
上記のような目的を達成するために、本発明の実施形態の一の側面によれば、端末（ＵＥ）にアクセス可能な複数の無線アクセスネットワーク（ＲＡＮｓ）と複数の無線アクセスネットワークをインターネットプロトコル（ＩＰ）を介して外部ネットワークに接続するための複数のコアネットワーク（ＣＮｓ）とを有するパケット交換基盤のネットワークにおける複数のコアネットワーク間ハンドオーバ方法であって、旧ＲＡＮを介して旧ＣＮに接続されたＵＥが新ＣＮに属している新ＲＡＮへ移動する際に、上記旧ＲＡＮは、ハンドオーバ要請メッセージを上記新ＲＡＮへ送信する。上記新ＲＡＮは、上記ハンドオーバ要請メッセージに応じて、上記ＵＥのための新ＩＰアドレスを上記新ＣＮから取得し、上記新ＩＰアドレスを含むハンドオーバ命令メッセージを上記旧ＲＡＮへ送信する。上記旧ＲＡＮは、上記ハンドオーバ命令メッセージに上記新ＲＡＮのアドレスを挿入し、上記新ＲＡＮのアドレスを有する上記ハンドオーバ命令メッセージを上記ＵＥへ伝達する。上記ＵＥは、上記ハンドオーバ命令メッセージに応じて、ＲＡＮ間ハンドオーバを遂行し、上記新ＲＡＮを介して上記旧ＣＮと通信する。その後、上記ＵＥは、上記ハンドオーバ命令メッセージに含まれている上記新ＩＰアドレスに基づいて、ＣＮ間ハンドオーバを遂行し、上記新ＲＡＮを介して上記新ＣＮと通信する。
【０００８】
本発明の実施形態の他の側面によれば、パケット交換基盤のネットワークにおける複数のコアネットワーク間ハンドオーバを遂行する装置であって、旧コアネットワーク（ＣＮ）に属している旧無線アクセスネットワーク（ＲＡＮ）は、端末（ＵＥ）からハンドオーバを要請する測定報告メッセージを受信し、上記測定報告メッセージに従ってハンドオーバ要請メッセージを生成し、上記ＵＥのための新インターネットプロトコル（ＩＰ）アドレスを含むハンドオーバ命令メッセージを受信し、上記新ＩＰアドレスを上記ＵＥへ送信する。新コアネットワーク（ＣＮ）に属している新ＲＡＮは、上記ハンドオーバ要請メッセージに応じて、上記ＵＥのための新ＩＰアドレスを取得し、上記新ＩＰアドレスを有する上記ハンドオーバ命令メッセージを上記旧ＲＡＮへ送信する。上記ＵＥは、上記ハンドオーバ命令メッセージに応じて、ＲＡＮ間ハンドオーバを遂行することにより、上記新ＲＡＮを介して上記旧ＣＮと通信し、上記ハンドオーバ命令メッセージに含まれた上記新ＩＰアドレスに基づいて、ＣＮ間ハンドオーバを遂行することにより、上記新ＲＡＮを介して上記新ＣＮと通信する。
【発明の効果】
【０００９】
本発明の実施形態によれば、無線アクセスネットワーク（ＲＡＮ）間Ｌ２ハンドオーバのために使用されるＬ２シグナリングメッセージを用いて、コアネットワーク（ＣＮ）間Ｌ３ハンドオーバを遂行するために必要とされる情報を端末（ＵＥ）に提供することにより、Ｌ２ハンドオーバの後にＬ３ハンドオーバを遂行することをＵＥに知らせる。したがって、ＵＥがＬ３ハンドオーバを遂行するために必要とされる制御情報を取得するための追加的な手続を省略することにより、高速のＬ３ハンドオーバを提供することができるという長所を有する。
【発明を実施するための最良の形態】
【００１０】
本発明の詳細な構成要素は、本発明の実施形態の包括的な理解を助けるために提供されたものであり、ただ１つの実施形態にすぎない。したがって、本発明の範囲及び精神を逸脱することなく様々な変形が可能であるということは、当該技術分野における通常の知識を有する者には明らかである。また、明瞭性と簡潔性の観点から、本発明に関連した公知の機能や構成に関する具体的な説明が本発明の要旨を不明瞭にすると判断される場合には、その詳細な説明を省略する。
【００１１】
本発明は、インターネット制御メッセージプロトコル（Internet Control Message Protocol；以下、“ＩＣＭＰ”と称する。）のようなＩＰ制御プロトコルではない、ＡＴＭ基盤の制御プレーン（Control Plane）からのＬ２シグナリングメッセージを用いて、ＩＰアドレス制御情報をＵＥへ送信することにより、ＵＥのＩＰアドレス移動性を保証しつつ、ネットワーク個体間ハンドオーバを可能にする。本明細書では、Ｌ３ハンドオーバを遂行するために必要とされるＬ３制御情報、例えば、ＩＰ階層制御情報をＬ２シグナリングメッセージを用いて送信する本発明の実施形態について具体的に説明する。
同一のＣＮ内のＲＡＮ間を移動する場合には、ＵＥは、Ｌ２ハンドオーバを遂行する一方で、相互に異なるＣＮに属しているＲＡＮ間を移動する場合には、ＵＥは、Ｌ２ハンドオーバ及びＬ３ハンドオーバを連続的に遂行する。後者の場合には、Ｌ３ハンドオーバのための情報（例えば、ＩＰアドレスまたは新たなＣＮアドレス）は、Ｌ２ハンドオーバのためにＵＥへ送信されるＬ２シグナリングメッセージに含まれる。したがって、ＵＥは、上記Ｌ２シグナリングメッセージに設定された情報に基づいて、新ＣＮへのＬ３ハンドオーバを遂行する。
【００１２】
図１は、本発明の実施形態によるネットワーク構成を示す図である。上記ネットワーク構成は、３Ｇ移動通信システムから開発されたパケット交換基盤のネットワークを含み、本発明は、３Ｇ長期的エボリューション（Long Term Evolution；ＬＴＥ）ネットワーク、すなわち、エボリューション／エンハンスト（Evolution/Enhanced）ネットワークに適用されることができる。
図１を参照すると、上記ネットワークは、ホームエージェント（Home Agent；以下、“ＨＡ”と称する。）１１０の制御の下で、インターネットプロトコル（Internet Protocol；以下、“ＩＰ”と称する。）ネットワーク１００に接続された複数のエンハンスト（Enhanced；Ｅ）-ＣＮ１０２ａ及び１０２ｂと、Ｅ-ＣＮ１０２ａ及び１０２ｂの各々に接続された複数のＥ-ＲＡＮ（Radio Access Network）１０４及び１０６と、を含む。ここで、“Ｅ（Enhanced）”は、複数の個体がＩＰに基づいて相互通信することを意味する。パケットデータゲートウェイ（Packet Data Gateway；以下、“ＰＤＧ”と称する。）１１２は、ＨＡ１１０に接続される。複数のＷＬＡＮ（Wireless Local Area Network）アクセスゲートウェイ（Access Gateway）（以下、“ＷＡＧ”と称する。）１１４は、ＰＤＧ１１２に接続され、複数のアクセスポイント（Access Point；ＡＰ）１１６は、複数のＷＡＧ１１４の各々に接続される。ＨＡ１１０が物理的に独立した個体で示されたが、ＨＡ１１０は、Ｅ-ＣＮ１０２ａ及び１０２ｂに含まれている論理的個体で構成されてもよい。
【００１３】
ＵＥ１０８は、Ｅ-ＣＮ１０２ａに属しているＥ-ＲＡＮ１０４ａからＥ-ＣＮ１０２ｂに属しているＥ-ＲＡＮ１０６ａへ移動している間に、ＵＥ１０８は、Ｌ２ハンドオーバ及びＬ３ハンドオーバを同時に遂行する。同様に、ＵＥ１１８がＥ-ＣＮ１０２ｂに属しているＥ-ＲＡＮ１０６ｂからＰＤＧ１１２に属しているＡＰ１１６ａへ移動する際には、ＵＥ１１８も、Ｌ２ハンドオーバ及びＬ３ハンドオーバを同時に遂行する。上記Ｌ２ハンドオーバは、よく知られたＷＬＡＮ Ｌ２プロトコルにより遂行される。下記では、Ｅ-ＣＮ１０２ａ及び１０２ｂ間ハンドオーバを遂行するＵＥ１０８の動作を一例で説明する。
ＵＥ１０８は、アクセス可能なセルからセル情報を受信し、上記セル情報をＥ-ＲＡＮ１０４ａへ送信するか、または、上記セル情報に基づいて、ターゲットセルへのＬ２ハンドオーバを遂行するか否かを判定する。また、ＵＥ１０８は、Ｅ-ＣＮ１０２ａにより割り当てられたＩＰアドレスを記憶する。Ｅ-ＣＮ１０２ｂから新ＩＰアドレスを取得した場合には、ＵＥ１０８は、ＩＰアドレス移動性のためのＬ３ハンドオーバ手続をトリガーリング（triggering）する。
同時に起こるＬ２ハンドオーバとＬ３ハンドオーバとを要請するＥ-ＣＮ間ハンドオーバの場合には、上記Ｌ３ハンドオーバは、Ｌ２シグナリングを用いて効率的に支援されることができる。このために、本発明の実施形態において、Ｌ３制御情報は、制御プレーン（control plane）からのＬ２シグナリングメッセージを用いてＵＥへ送信される。
【００１４】
図２は、本発明の実施形態によるＬ２ハンドオーバ手続を示す概念図である。図２では、同一のＥ-ＣＮに属している３つのＥ-ＲＡＮ Ａ、Ｂ、及びＣを示す。
図２を参照すると、ＵＥは、ステップ１で、Ｅ-ＲＡＮ Ａを介してＥ-ＣＮに接続される。ステップ２で、ＵＥがＥ-ＲＡＮ Ｂへ移動する際に、上記ＵＥは、Ｌ２ハンドオーバを遂行し、Ｅ-ＲＡＮ Ｂ及びＥ-ＲＡＮ Ａを介してＥ-ＣＮに接続される。Ｌ２ハンドオーバが完了した後には、ＵＥは、ステップ３で、Ｅ-ＲＡＮ Ｂを介してＥ-ＣＮに接続される。ＵＥがＥ-ＲＡＮ Ｃへ移動する際に、ＵＥは、ステップ４で、Ｌ２ハンドオーバを遂行し、Ｅ-ＲＡＮ Ｃ及びＥ-ＲＡＮ Ｂを介してＥ-ＣＮに接続される。Ｌ２ハンドオーバが完了した後には、ＵＥは、ステップ５で、Ｅ-ＲＡＮ Ｃを介してＥ-ＣＮに接続される。
【００１５】
図３Ａ乃至図３Ｃは、本発明の実施形態によるＬ３ハンドオーバ手続を示す概念図である。図３Ａ乃至図３Ｃにおいて、旧Ｅ-ＣＮ３０２ａ及び新Ｅ-ＣＮ３０２ｂは、ＨＡ３１０の制御の下で、ＩＰネットワーク３００に接続され、旧Ｅ-ＲＡＮ３０４ａ及び新Ｅ-ＲＡＮ３０６ａは、旧Ｅ-ＣＮ３０２ａ及び新Ｅ-ＣＮ３０２ｂにそれぞれ接続される。ＵＥ３０８が旧Ｅ-ＲＡＮ３０４ａから新Ｅ-ＲＡＮ３０６ａへ移動する際に、ＵＥ３０８は、Ｌ２ハンドオーバとともにＬ３ハンドオーバを遂行する。
図３Ａを参照すると、ステップ１で、ＵＥ３０８は、旧Ｅ-ＲＡＮ３０４ａから新Ｅ-ＲＡＮ３０６ａへ移動し、この際、ＵＥ３０８は、新Ｅ-ＲＡＮ３０６ａ及び旧Ｅ-ＲＡＮ３０４ａを介して旧Ｅ-ＣＮ３０２ａに接続される。図３Ｂのステップ２で、新Ｅ-ＲＡＮ３０６ａと旧Ｅ-ＣＮ３０２ａとの間でトンネルが確立され、ＵＥ３０８は、新Ｅ-ＲＡＮ３０６ａ及び上記トンネルを介して旧Ｅ-ＣＮ３０２ａに接続される。図３Ｃのステップ３で、Ｌ３ハンドオーバが完了し、したがって、 ＵＥ３０８は、新Ｅ-ＲＡＮ３０６ａを介して新Ｅ-ＣＮ３０２ｂに接続される。
図３Ａ乃至図３Ｃに示すＥ-ＣＮ間ハンドオーバを遂行する間に、ＵＥ３０８は、旧Ｅ-ＣＮ３０２ａが新Ｅ-ＣＮ３０２ｂへ変更されたことを認識し、新Ｅ-ＣＮ３０２ｂからＬ３ハンドオーバのための新ＩＰアドレスを取得し、上記新ＩＰアドレスを新Ｅ-ＲＡＮ３０６ａを介してＨＡ及び通信中の相手ノード（Correspondent Node）に登録する。下記では、本発明の実施形態に従って、Ｅ-ＣＮ間ハンドオーバについて説明する。
【００１６】
図４は、本発明の実施形態によるＬ２シグナリングを用いてＬ２ハンドオーバ及びＬ３ハンドオーバを遂行するための信号フローを示す図である。
図４を参照すると、ＵＥは、ステップ４０１で、隣接セルに関する情報を収集し、上記収集されたセル情報を測定報告メッセージを用いて旧Ｅ-ＲＡＮへ送信する。上記測定報告メッセージは、上記ＵＥのＩＭＳＩ（International Mobile Station Identifier）と、上記ＵＥが現在使用中である旧ＩＰアドレス（以下、“ＩＰｏｌｄ”と称する。）と、複数の隣接セルから収集されたセル測定値（cell measurements）と、を含むことができる。
一方、本実施形態において、ＵＥ自身が上記セル測定値に基づいて、Ｌ２ハンドオーバのターゲットセルを選択することができる場合には、上記ＵＥは、上記ターゲットセルを選択し、上記測定報告メッセージの‘ｓｅｌｅｃｔｅｄ ｃｅｌｌ’フィールド内のターゲットセルを旧Ｅ-ＲＡＮに通知する。
上記測定報告メッセージを受信すると、上記旧Ｅ-ＲＡＮは、上記セル情報に基づいて、サービングセルより高性能を提供しているセルがあるか否かを判定する。そのようなセル（すなわち、ターゲットセル）が検索される場合には、ステップ４０３で、上記旧Ｅ-ＲＡＮは、上記ターゲットセルへの上記ＵＥのハンドオーバを遂行することを決定する。ステップ４０５で、上記旧Ｅ-ＲＡＮは、上記ターゲットセルのＩＰアドレスを検索する。この際、上記旧Ｅ-ＲＡＮは、複数の候補セルに関するルーティング情報、すなわち、新Ｅ-ＲＡＮのＩＰアドレスを既に知っている。
上述したように、上記旧Ｅ-ＲＡＮが上記ＵＥから上記ターゲットセルを示す情報を受信する場合には、上記旧Ｅ-ＲＡＮは、ステップ４０３を省略し、ステップ４０５へジャンプする。
【００１７】
ステップ４０７で、上記旧Ｅ-ＲＡＮは、ハンドオーバ（HandOver；ＨＯ）要請メッセージをＬ２ハンドオーバのターゲットセルを制御する新Ｅ-ＲＡＮへ送信する。上記ＨＯ要請メッセージは、上記ＵＥのＩＭＳＩ及びＩＰｏｌｄと上記ＵＥの加入者情報を含むＵＥコンテキストとを含む。この際、上記ＩＰｏｌｄは、上記新Ｅ-ＲＡＮが上記ＵＥに新ＩＰアドレスを割り当てるべきであるか否かを判定するための基準値として使用される。上記ＨＯ要請メッセージを受信すると、上記新Ｅ-ＲＡＮは、ステップ４０９で、上記ＩＰｏｌｄに基づいて、新ＩＰアドレスを上記ＵＥに割り当てるか否かを判定する。例えば、上記新Ｅ-ＲＡＮは、上記ＩＰｏｌｄのプレフィックス（prefix）を上記新Ｅ-ＲＡＮが属している新ＣＮのプレフィックスと比較して、上記プレフィックスが相互に異なる場合には、新ＩＰアドレスを上記ＵＥに割り当てるか否かを判定する。
本実施形態において、上記旧Ｅ-ＲＡＮは、ステップ４０５で検索された上記新Ｅ-ＲＡＮのＩＰアドレスを上記ＵＥのＩＰｏｌｄと比較する。上記ＩＰアドレスが相互に異なる場合には、上記旧Ｅ-ＲＡＮは、新ＩＰアドレスを上記ＵＥに割り当てるものと判定する。この場合には、上記ＩＰアドレスに基づいて、Ｅ-ＲＡＮ間のルーティングが遂行されなければならない。上記ＵＥのＩＰｏｌｄが旧Ｅ-ＲＡＮから送信されたＬ２ハンドオーバを要請するＨＯ要請メッセージに含まれている場合には、上記新Ｅ-ＲＡＮは、ステップ４１１及びステップ４１５の新ＩＰアドレス割当手続をトリガーリングする。
【００１８】
上記Ｌ２ハンドオーバを要請する上記ＵＥに対する新ＩＰアドレスが必要とされる場合には、ステップ４１１で、上記新Ｅ-ＲＡＮは、上記新ＩＰアドレスを要請するためのアドレス要請（Address Request）メッセージを新Ｅ-ＣＮへ送信する。上記アドレス要請メッセージは、上記ＵＥのＩＭＳＩ及びＩＰｏｌｄを含む。上記新Ｅ-ＣＮは、新ＩＰアドレス（以下、“ＩＰｎｅｗ”と称する。）を上記ＵＥに割り当て、上記ＩＰｎｅｗを記憶する。その後、ステップ４１５で、上記新Ｅ-ＣＮは、上記ＩＰｎｅｗを有するアドレス応答メッセージを上記新Ｅ-ＲＡＮへ送信する。この際、上記新Ｅ-ＣＮが上記ＵＥに関するＵＥコンテキストを予め生成することができるように、上記新Ｅ-ＲＡＮは、ＵＥコンテキストの生成のために必要とされる情報、例えば、上記アドレス要請メッセージ内のサービングＥ-ＲＡＮ及びサービス品質（Quality of Service；ＱｏＳ）に関する情報を含むことができる。
【００１９】
ステップ４１７で、上記新Ｅ-ＲＡＮは、上記ＩＰｎｅｗをＨＯ命令メッセージを用いて上記旧Ｅ-ＲＡＮへ送信する。上記ＨＯ命令メッセージは、上記ＩＰｎｅｗを提供するだけではなく、上記ハンドオーバ要請が受諾されたことを知らせる機能を有する。上記旧Ｅ-ＲＡＮは、ステップ４１９で、上記新Ｅ-ＲＡＮ（ターゲット新Ｅ-ＲＡＮ）のアドレスを上記ＨＯ命令メッセージに追加して、上記ＵＥへ伝達する
上記ＨＯ命令メッセージが上記ＩＰｎｅｗを含む場合には、上記ＵＥは、Ｌ３ハンドオーバのために、上記ＩＰｎｅｗをＨＡに登録すべきことを認識する。したがって、上記ＵＥは、ステップ４２１で、上記ＩＰｎｅｗを記憶した後に、上記新Ｅ-ＲＡＮへ移動し、ステップ４２３で、上記新Ｅ-ＲＡＮから上記旧Ｅ-ＲＡＮを通して上記旧Ｅ-ＣＮへ走る通信経路を介してデータを送受信する。
一方、上記新Ｅ-ＲＡＮは、ステップ４２５で、上記旧Ｅ-ＣＮとのＩＰトンネルを確立して、それらの間の直接的な通信経路を設定する。上記ＩＰトンネルを確立した後に、上記新Ｅ-ＲＡＮは、ステップ４２７で、上記ＵＥのＵＥコンテキスト情報を解除するために、Ｌ２ハンドオーバの完了を知らせるＨＯ完了メッセージを上記旧Ｅ-ＲＡＮへ送信する。上記旧Ｅ-ＲＡＮは、上記ＵＥに関連したバッファリングされた全てのデータを上記新Ｅ-ＲＡＮへ送信した後に、上記ＵＥに関連したＵＥコンテキストを削除する。
【００２０】
ステップ４０１乃至ステップ４２７を介してＬ２ハンドオーバが完了する場合には、上記ＵＥは、ステップ４２９で、上記新Ｅ-ＲＡＮ及び上記旧Ｅ-ＣＮを介してパケットデータを送受信する。ステップ４３１で、上記新Ｅ-ＲＡＮは、上記ＵＥに対するＬ３ハンドオーバを支援するために、上記新Ｅ-ＣＮとのＩＰトンネルを確立する。ステップ４３１が上記ＵＥに関係なく発生するので、ステップ４３１は、上記新Ｅ-ＲＡＮが上記ＵＥのＩＰｎｅｗを取得したステップ４１５の後のどの時点でも遂行されることができる。
ステップ４１９で、上記ＨＯ命令メッセージを用いてＩＰｎｅｗを受信したＵＥは、ステップ４３５で、バインディングアップデート要請（Binding Update Request）メッセージを用いて、上記ＩＰｎｅｗを上記ＨＡに登録する。この際、上記バインディングアップデート要請メッセージを送信する前に、上記ＵＥからネットワークへ送信された上記バインディングアップデート要請メッセージ及びデータを保護するために、上記ＵＥと上記ＨＡとの間のＩＰ保安認証（IP Security Association；以下、“ＩＰＳｅｃ ＳＡ”と称する。）及びＩＰ保安（ＩＰＳｅｃ）トンネルを設定してもよい。上記ＩＰＳｅｃトンネルの設定については、明確性と簡潔性のために、その詳細な説明を省略する。
【００２１】
上記ＨＡは、自身のバインディングキャッシュ（Binding Cache）に記憶されている上記ＵＥのＩＰｏｌｄを上記ＩＰｎｅｗで更新する。その後、上記ＨＡは、ステップ４３７で、バインディングアップデートが正常に完了したことをバインディング応答（Binding Acknowledgement）メッセージを通じて上記ＵＥに通知し、ステップ４３９で、上記Ｌ３ハンドオーバが完了したことを知らせるＬ３ ＨＯ完了メッセージを上記旧Ｅ-ＣＮへ送信する。したがって、上記旧Ｅ-ＣＮは、上記ＵＥが上記新Ｅ-ＣＮにハンドオーバしたことを認識し、上記ＵＥのＵＥコンテキストを削除する。上記ＵＥコンテキストの生成のための情報が上記新Ｅ-ＣＮに提供されなかった場合には、上記旧Ｅ-ＣＮは、上記Ｌ３ ＨＯ完了メッセージを受信した後に、上記ＵＥのＵＥコンテキスト情報を上記新Ｅ-ＣＮへ伝達することができる。ステップ４４１で、上記ＵＥは、上記Ｌ２ハンドオーバ及び上記Ｌ３ハンドオーバを完了し、上記新Ｅ-ＲＡＮ及び上記新Ｅ-ＣＮを介してパケットデータを送受信する。
【００２２】
図５は、本発明の実施形態によるＵＥの動作を示すフローチャートである。
図５を参照すると、上記ＵＥは、ステップ５０１で、パケットを送受信している間に、候補（Candidate）セルに関する情報を収集する。ステップ５０５で、上記ＵＥは、周期的にまたは所定の条件を満足する場合に、上記ＵＥのＩＭＳＩ及びＩＰｏｌｄを含む測定報告メッセージ及び上記収集されたセル情報を上記旧Ｅ-ＲＡＮへ送信する。本実施形態において、上記ＵＥは、上記ＵＥのＩＰｏｌｄ及びＩＭＳＩだけではなく、Ｌ２ハンドオーバのためのＵＥにより選択されたターゲットセルを示す情報を上記測定報告メッセージに含めることもできる。
ステップ５０９で、上記ＵＥは、上記測定報告メッセージに応じたＨＯ命令メッセージを上記旧Ｅ-ＲＡＮから受信する。上記ＨＯ命令メッセージは、上記ＵＥに割り当てられたＩＰｎｅｗ及び上記ターゲットセルを制御する新Ｅ-ＲＡＮのアドレスを含むことができる。上記新Ｅ-ＲＡＮが新Ｅ-ＣＮに属していない場合には、上記ＨＯ命令メッセージは、上記ＩＰｎｅｗを有しない。上記ＵＥは、ステップ５１１で、上記ＩＰｎｅｗが上記ＨＯ命令メッセージに存在するか否かを検査する。上記ＩＰｎｅｗが上記ＨＯ命令メッセージに存在しない場合には、上記ＵＥは、ステップ５２５で、上記新Ｅ-ＲＡＮのアドレスのような上記ＨＯ命令メッセージに含まれている情報を記憶した後に、ステップ５２７で、Ｌ２ハンドオーバを遂行する。したがって、上記ＵＥは、旧Ｅ-ＣＮ、旧Ｅ-ＲＡＮ、及び新Ｅ-ＲＡＮを介してパケットデータを送受信することができる。
一方、上記ＩＰｎｅｗが上記ＨＯ命令メッセージに存在する場合には、上記ＵＥは、Ｌ２ハンドオーバとともにＬ３ハンドオーバを遂行すべき事実を認識する。その後、上記ＵＥは、ステップ５１３で、上記ＩＰｎｅｗ及び上記新Ｅ-ＲＡＮのアドレスを記憶し、ステップ５１５で、上記新Ｅ-ＲＡＮへのＬ２ハンドオーバを遂行する。その後、上記ＵＥは、ステップ５１９へ進んで、上記新Ｅ-ＣＮからの追加的なＩＰアドレス取得手続なしで、上記ＩＰｎｅｗを上記ＨＡに登録する。
【００２３】
上記ＩＰｎｅｗを登録する前に、Ｌ３ハンドオーバメッセージ及びＩＰパケットデータを保護するための保安メカニズム（Security Mechanism）を使用する場合には、上記ＵＥは、ＨＡとＩＰＳｅｃ ＳＡ及びＩＰＳｅｃトンネルを確立することができる。上記ＩＰＳｅｃ関連手続については、明確性と簡潔性のために、その詳細な説明を省略する。
ステップ５１９で、上記ＵＥは、バインディングアップデートメッセージをＨＡへ送信する。上記バインディングアップデートメッセージは、上記ＨＡにより割り当てられたホームアドレス（Home Address；ＨｏＡ）と上記新Ｅ-ＣＮにより割り当てられたＩＰｎｅｗとを含む。ここで、上記ＨｏＡは、上記ＵＥに永久に割り当てられる固定ＩＰアドレス或いは予め定められた時間の間に保持される固定ＩＰアドレスを意味する。ステップ５２１で、上記ＵＥは、上記ＨＡからバインディング更新応答メッセージを受信する。その後、上記ＵＥは、ステップ５２３で、上記Ｌ３ハンドオーバが完了したことを通知し、上記ＵＥに関するＵＥコンテキストの削除をトリガーリングするために、Ｌ３ ＨＯ完了メッセージを上記旧Ｅ-ＣＮへ送信する。したがって、上記Ｌ２ハンドオーバ及び上記Ｌ３ハンドオーバを完了したＵＥは、上記旧Ｅ-ＲＡＮを通過せずに、上記新Ｅ-ＲＡＮ及び上記新Ｅ-ＣＮを介してパケット送受信を継続する。
次いで、Ｅ-ＲＡＮの動作について説明する。Ｅ-ＲＡＮは、ＵＥまたは他のＥ-ＲＡＮから受信されたメッセージを分析する。測定報告メッセージを受信した場合には、上記Ｅ-ＲＡＮは、旧Ｅ-ＲＡＮとして動作する。ＵＥのＩＰｏｌｄを含むＨＯ要請メッセージを他のＥ-ＲＡＮから受信すると、上記Ｅ-ＲＡＮは、新Ｅ-ＲＡＮとして動作する。下記では、上記旧Ｅ-ＲＡＮ及び上記新Ｅ-ＲＡＮの動作を区分して説明する。
【００２４】
図６は、本発明の実施形態による旧Ｅ-ＲＡＮの動作を示すフローチャートである。
図６を参照すると、ＵＥとパケット通信を遂行している間に、上記旧Ｅ-ＲＡＮは、ステップ６０２で、測定報告メッセージを上記ＵＥから受信し、ステップ６０４で、上記測定報告メッセージに含まれているセル情報に基づいて、Ｌ２ハンドオーバを遂行するか否かを判定する。上記測定報告メッセージが上記ＵＥにより測定された候補セルの測定値に関する情報を含む場合には、上記旧Ｅ-ＲＡＮは、上記Ｌ２ハンドオーバを遂行するか否かを判定する。したがって、上記旧Ｅ-ＲＡＮは、ステップ６０６で、現在の無線性能を上記候補セルの無線性能と比較する。上記現在の無線性能より高性能を提供するある候補セルが存在する場合には、上記旧Ｅ-ＲＡＮは、上記候補セルをターゲットセルとして選択し、ステップ６０８へ進む。他方、上記旧Ｅ-ＲＡＮより高性能を提供する候補セルが存在しない場合には、上記旧Ｅ-ＲＡＮは、ステップ６０２へ戻って、他の測定報告メッセージの受信を待機する。一方、上記測定報告メッセージがＵＥにより選択されたターゲットセルを示す情報を含む場合には、上記旧Ｅ-ＲＡＮは、ステップ６０４からステップ６０８へとジャンプする。
【００２５】
ステップ６０８で、上記旧Ｅ-ＲＡＮは、上記ターゲットセルにサービスを提供している新Ｅ-ＲＡＮのルーティングアドレスを検索する。その後、上記旧Ｅ-ＲＡＮは、ステップ６１０で、ＨＯ要請メッセージを上記新Ｅ-ＲＡＮへ送信する。上記ＨＯ要請メッセージは、上記ＵＥのＩＭＳＩ、ＩＰｏｌｄ、及びＵＥコンテキスト情報を含む。上記旧Ｅ-ＲＡＮは、ステップ６１２で、上記ＨＯ要請メッセージに応じたＨＯ命令メッセージを新Ｅ-ＲＡＮから受信する。上記ＨＯ命令メッセージが上記新Ｅ-ＣＮで使用する他の情報とともに、上記ＵＥのＩＰｎｅｗを含む場合には、これは、Ｌ３ハンドオーバが必要とされることを意味する。一方、上記ＨＯ命令メッセージがＩＰｎｅｗを有していない場合には、これは、上記Ｌ３ハンドオーバが必要とされないことを意味する。
ステップ６１４で、上記旧Ｅ-ＲＡＮは、上記ＨＯ命令メッセージに上記新Ｅ-ＲＡＮのアドレス情報を追加して上記ＵＥへ送信する。上記旧Ｅ-ＲＡＮは、ステップ６１６で、上記ＵＥからＬ２ ＨＯ完了メッセージを受信し、ステップ６１８で、上記ＵＥに関するＵＥコンテキストを削除する。
【００２６】
図７は、本発明の実施形態による新Ｅ-ＲＡＮの動作を示すフローチャートである。
図７を参照すると、上記新Ｅ-ＲＡＮは、ステップ７０２で、旧Ｅ-ＲＡＮからＨＯ要請メッセージを受信し、ステップ７０４で、上記ＵＥに対するＬ２ハンドオーバ要請を受諾するか否かを判定する。上記Ｌ２ハンドオーバ要請が受諾されることができない場合には、上記新Ｅ-ＲＡＮは、ステップ７３４で、上記Ｌ２ハンドオーバ要請を拒絶するための理由を示す理由値（cause value）を含むＨＯ失敗メッセージを上記旧Ｅ-ＲＡＮへ送信した後に、上記ハンドオーバ手続を終了する。
【００２７】
上記Ｌ２ハンドオーバ要請が受諾される場合には、上記新Ｅ-ＲＡＮは、上記ＨＯ要請メッセージに設定された上記ＵＥのＩＰｏｌｄに基づいて、上記ＵＥに対するＩＰｎｅｗの割当てが必要であるか否かを判定する。本実施形態において、上記ＩＰｏｌｄのプレフィックスが専用（dedicated）リンクを介して上記新Ｅ-ＲＡＮに接続された新Ｅ-ＣＮのＩＰアドレスのプレフィックスと相互に異なる場合には、上記新Ｅ-ＲＡＮは、上記ＵＥに対するＩＰｎｅｗの割当てが必要であると判定する。本発明の実施形態において、ステップ７０６は、新Ｅ-ＲＡＮでない旧Ｅ-ＲＡＮにより遂行されることができる。すなわち、上記旧Ｅ-ＲＡＮは、上記新Ｅ-ＲＡＮと関連したＩＰアドレスのプレフィックス及び上記ＵＥのＩＰｏｌｄに基づいて、上記ＵＥに対するＩＰｎｅｗが必要であるか否かを判定する。上記ＩＰｎｅｗが必要とされる場合には、上記旧Ｅ-ＲＡＮは、上記新Ｅ-ＲＡＮへ送信されるＨＯ要請メッセージ内に上記ＵＥのＩＰｎｅｗを要請するための指示情報を挿入する。
ステップ７０６で、または、上記旧Ｅ-ＲＡＮから受信された指示情報に基づいて、上記ＵＥに対するＩＰｎｅｗが必要であると判定される場合には、上記新Ｅ-ＲＡＮは、ステップ７０８で、上記ＵＥのＩＭＳＩ、ＩＰｏｌｄ、及びＵＥコンテキスト情報を記憶し、ステップ７１０で、上記専用リンクを介して上記新Ｅ-ＲＡＮに接続された上記新Ｅ-ＣＮにアドレス要請メッセージを送信して、上記ＵＥに対するＩＰｎｅｗを要請する。上記アドレス要請メッセージは、上記ＵＥのＩＭＳＩ及びＩＰｏｌｄを含む。上記新Ｅ-ＲＡＮは、ステップ７１２で、上記新Ｅ-ＣＮにより割り当てられたＩＰｎｅｗを含むアドレス応答メッセージを受信する。
【００２８】
ステップ７１４で、上記新Ｅ-ＲＡＮは、ＨＯ命令メッセージを通じて、上記ＩＰｎｅｗ及び上記ＵＥのＬ２ハンドオーバのために必要とされる情報を上記旧Ｅ-ＲＡＮに提供する。本発明の実施形態において、上記新Ｅ-ＲＡＮは、上記新Ｅ-ＣＮが上記ＵＥに関するＵＥコンテキストを予め生成することができるように、上記新Ｅ-ＲＡＮの識別子（ＩＤ）情報及びＱｏＳ情報の一部を上記新Ｅ-ＣＮへ送信する。この場合には、上記新Ｅ-ＣＮは、上記アドレス要請メッセージに含まれている情報に基づいて、ドラフト（draft）ＵＥコンテキストを生成する。本実施形態では、上記Ｌ３ハンドオーバが完了するステップ７１４の後に、所定の制御メッセージを用いて、上記旧Ｅ-ＣＮからＵＥコンテキスト情報を上記新Ｅ-ＣＮへ伝達する。このためには、上記ＵＥは、上記新Ｅ-ＣＮのルーティングアドレス情報を予め取得する。
【００２９】
上記ＨＯ命令メッセージを上記旧Ｅ-ＲＡＮへ送信した後に、上記新Ｅ-ＲＡＮは、ステップ７１６で、上記Ｌ２ハンドオーバによる上記ＵＥの移動を感知する。一方、上記新Ｅ-ＲＡＮは、ステップ７１８で、上記旧Ｅ-ＲＡＮ及び上記旧Ｅ-ＣＮを介したデータ通信経路とは別途に、上記旧Ｅ-ＣＮとの直接的なデータ通信のためのトンネルを確立する。上記新Ｅ-ＲＡＮと上記旧Ｅ-ＣＮとの間のトンネルが確立された後に、上記新Ｅ-ＲＡＮは、ステップ７２０で、Ｌ２ ＨＯ完了メッセージを上記旧Ｅ-ＲＡＮへ送信する。上記Ｌ２ ＨＯ完了メッセージは、上記Ｌ２ハンドオーバの完了を通知し、上記ＵＥに関するＵＥコンテキストの削除をトリガーリングするために使用される。ステップ７２２で、上記新Ｅ-ＲＡＮは、上記ＵＥのＬ３メッセージの送信のために、上記新Ｅ-ＣＮとデータトンネルを確立する。かかるトンネルは、上記ＵＥの動作に関係なく、上記新Ｅ-ＲＡＮが上記ＵＥのＩＰｎｅｗを取得した後のどの時点でも確立されることができる。
【００３０】
一方、上記ＨＯ要請メッセージに従って、上記ＩＰｎｅｗを上記ＵＥに割り当てる必要がない場合、すなわち、上記ＩＰｏｌｄのプレフィックスが上記新Ｅ-ＣＮのプレフィックスと同一である場合には、上記新Ｅ-ＲＡＮは、ステップ７２４で、上記ＨＯ要請メッセージに設定された上記ＵＥの情報を記憶し、ステップ７２６で、上記ＵＥのＬ２ハンドオーバを遂行するために必要とされる情報を含むＨＯ命令メッセージを上記旧Ｅ-ＲＡＮへ送信する。上記新Ｅ-ＲＡＮは、ステップ７２８で、上記Ｌ２ハンドオーバによる上記ＵＥの移動を感知し、ステップ７３０で、上記旧Ｅ-ＣＮとのトンネルを確立し、ステップ７３２で、Ｌ２ ＨＯ完了メッセージを上記旧Ｅ-ＲＡＮへ送信することにより、上記Ｌ２ハンドオーバ手続を完了する。
【００３１】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００３２】
【図１】本発明の実施形態によるネットワーク構成を示す図である。
【図２】本発明の実施形態によるＬ２ハンドオーバ手続を示す概念図である。
【図３Ａ】本発明の実施形態によるＬ３ハンドオーバ手続を示す概念図である。
【図３Ｂ】本発明の実施形態によるＬ３ハンドオーバ手続を示す概念図である。
【図３Ｃ】本発明の実施形態によるＬ３ハンドオーバ手続を示す概念図である。
【図４】本発明の実施形態によるＬ２シグナリングを用いてＬ２ハンドオーバ及びＬ３ハンドオーバを遂行するための信号フローを示す図である。
【図５】本発明の実施形態によるＵＥの動作を示すフローチャートである。
【図６】本発明の実施形態による旧Ｅ-ＲＡＮの動作を示すフローチャートである。
【図７】本発明の実施形態による新Ｅ-ＲＡＮの動作を示すフローチャートである。
【符号の説明】
【００３３】
１００  ＩＰネットワーク
１０２ａ、１０２ｂ  Ｅ−ＣＮ
１０４、１０６  Ｅ−ＲＡＮ
１０８、１１８  ＵＥ
１１０  ＨＡ
１１２  ＰＤＧ
１１４  ＷＡＧ
１１６  ＡＰ
【図１】
2009500980.tif 000003
【図２】
2009500980.tif 000004
【図３Ａ】
2009500980.tif 000005
【図３Ｂ】
2009500980.tif 000006
【図３Ｃ】
2009500980.tif 000007
【図４】
2009500980.tif 000008
【図５】
2009500980.tif 000009
【図６】
2009500980.tif 000010
【図７】
2009500980.tif 000011
【国際調査報告】
2009500980.tif 000012